(57)【特許請求の範囲】
【請求項１】
被写体にストロボ光を照射する照射手段と、
前記照射手段が被写体にストロボ光を照射した際に、被写体からの反射光を測光して測光量を算出する測光手段と、
前記測光手段で測光した測光値が、基準値に達した場合に前記照射手段のストロボ光の照射を停止させるストロボ光停止手段と、
前記基準値を設定する設定手段と、
被写体との撮影距離を算出する撮影距離算出手段と、
被写体からの反射光を受光し、光電変換を行い、被写体に応じた電気信号を出力する撮像手段と、
前記被写体に応じた電気信号の信号レベルを調整する利得調整手段と、
ストロボ光以外の外光による露光量を算出する外光露光量算出手段と、
を備え、
ストロボ撮影時に、前記利得調整手段は、前記算出された撮影距離に基づいて利得を設定し、前記設定手段は、前記利得調整手段が設定した前記利得に対応させて前記基準値を設定するものであり、
さらに、ストロボ撮影時であって、該撮影距離がほぼストロボ調光範囲であり、かつ、前記算出された露光量がほぼ適正露光量となる場合には、
前記利得調整手段は、ストロボ光および外光による撮影全体の露光量が適正露出となるように、前記設定した前記利得を下げるように補正するとともに、前記設定手段は、補正した利得に対応させて前記基準値を設定することを特徴とするカメラ。
【請求項２】
被写体にストロボ光を照射する照射手段と、
前記照射手段が被写体にストロボ光を照射した際に、被写体からの反射光を  測光して測光量を算出する測光手段と、
前記測光手段で測光した測光値が、基準値に達した場合に前記照射手段のストロボ光の照射を停止させるストロボ光停止手段と、
前記基準値を設定する設定手段と、
被写体との撮影距離を算出する撮影距離算出手段と、
被写体からの反射光を受光して光電変換を行い、被写体に応じた電気信号を出力する撮像手段と、
前記被写体に応じた電気信号の信号レベルを調整する利得調整手段と、
ストロボ光以外の外光による露光量を算出する外光露光量算出手段と、
を備え、
ストロボ撮影時に、前記利得調整手段は、前記算出された撮影距離に基づいて利得を設定するものであって、前記撮影距離が所定の距離よりも遠い場合に利得を上げるように設定し、前記設定手段は、前記利得調整手段が設定した前記利得に対応させて前記基準値を設定するものであり、
さらに、ストロボ撮影時であって、該撮影距離がほぼストロボ調光範囲であり、かつ、前記算出された露光量がほぼ適正露光量となる場合には、
前記利得調整手段は、ストロボ光および外光による撮影全体の露光量が適正露出となるように、前記設定した前記利得を下げるように補正するとともに、前記設定手段は、補正した利得に対応させて前記基準値を設定することを特徴とするカメラ。
【請求項３】
被写体にストロボ光を照射する照射手段と、
前記照射手段が被写体にストロボ光を照射した際に、被写体からの反射光を測光して測光値を算出する測光手段と、
前記測光手段で測光した測光値が、基準値に達した場合に前記照射手段のストロボ光の照射を停止させるストロボ光停止手段と、
前記基準値を設定する設定手段と、
被写体との撮影距離を算出する撮影距離算出手段と、
被写体からの反射光を受光して光電変換を行い、被写体に応じた電気信号を出力する撮像手段と、
前記被写体に応じた電気信号の信号レベルを調整する利得調整手段と、
ストロボ光以外の外光による露光量を算出する外光露光量算出手段と、
を備え、
ストロボ撮影時に、前記利得調整手段は、前記算出された撮影距離に基づいて利得を設定するものであって、前記撮影距離が所定の距離よりも近い場合に利得を下げるように設定し、前記設定手段は、前記利得調整手段が設定した前記利得に対応させて前記基準値を設定するものであり、
さらに、ストロボ撮影時であって、該撮影距離がほぼストロボ調光範囲であり、かつ、前記算出された露光量がほぼ適正露光量となる場合には、
前記利得調整手段は、ストロボ光および外光による撮影全体の露光量が適正露出となるように、前記設定した前記利得を下げるように補正するとともに、前記設定手段は、補正した利得に対応させて前記基準値を設定することを特徴とするカメラ。
【請求項４】
前記撮像手段が出力する被写体に応じた電気信号から、輝度データの高周波成分を積分して得られるＡＦ評価値を出力するＡＦ評価手段と、
前記ＡＦ評価手段によるＡＦ評価値を、撮影レンズを移動しながらサンプリングすることで、合焦位置を判定する自動合焦手段と、
を備え、
前記撮影距離算出手段は、前記撮影レンズの合焦位置に基づき、被写体との撮影距離を算出することを特徴とする請求項１〜３のいずれか１つに記載のカメラ。
【請求項５】
前記自動合焦手段のＡＦ評価値を取得するサンプリング間隔は、ストロボ撮影を行う場合は、ストロボ撮影を行わない場合に比して小さくしたことを特徴とする請求項４に記載のカメラ。
【発明の詳細な説明】
【０００１】
【発明の属する技術分野】
この発明は、カメラに関し、詳細には、オートストロボ機能を備えたカメラに関する。
【０００２】
【従来の技術】
従来より、オートストロボ装置を備えたデジタルカメラが知られている。かかるオートストロボ装置は、ストロボ発光管を発光させた後、被写体からの反射光を測光してその光量が所定のレベルに達した時に、ストロボ発光管の発光を停止させるものである。
【０００３】
上記オートストロボ装置は、被写体からの反射光を測光して適正な照明光量になった時に発光を停止させるため、従来のように一定のガイドナンバーのもとで撮影距離に対応して絞り値を決める等のいわゆるフラッシュマチック制御を行う必要がなく、撮影距離にかかわらずストロボ撮影が簡単になるという利点を有している。
【０００４】
【発明が解決しようとする課題】
しかしながら、従来のオートストロボ装置には以下のような問題がある。第１に、実際の撮影時にストロボ発光をしないと調光可能か否かが分からないという問題がある。これは特に、被写体が遠距離時にストロボ発光量不足により発生するものである。第２に、近距離撮影では、当然ストロボ発光量には不足はないが、調光は立ち上がり直後の短い時間内に発光を停止させる動作となるため、実際に発光が停止するまでの回路の遅延等による照射光量の誤差が遠距離に比較し、より大きくなり、また、ラチチュードが狭いためその誤差を吸収することができないという問題がある。
【０００５】
本発明は、上記に鑑みてなされたものであり、オートストロボ機能で調光可能な撮影距離範囲を広範囲にすることが可能なカメラを提供することを目的とする。
【０００６】
【課題を解決するための手段】
上述した課題を解決し、目的を達成するために、本発明は、被写体にストロボ光を照射する照射手段と、前記照射手段が被写体にストロボ光を照射した際に、被写体からの反射光を測光する測測光手段と、前記照射手段のストロボ光の照射停止を判断するための調光値を設定する調光値設定手段と、前記測光手段で測光した測光値が、前記調光値に達した場合に前記照射手段のストロボ光の照射を停止させるストロボ光停止手段と、被写体との撮影距離を算出する撮影距離算出手段と、被写体からの反射光を受光して光電変換を行い、被写体に応じた電気信号を出力する撮像手段と、前記被写体に応じた電気信号の信号レベルを調整する利得調整手段と、を備え、ストロボ撮影時に、前記撮影距離算出手段で算出された撮影距離に基づいて、前記調光値設定手段は前記調光値を設定すると共に、前記利得調整手段は利得を設定することを特徴とする。
【０００７】
上述した課題を解決し、目的を達成するために、本発明は、被写体にストロボ光を照射する照射手段と、前記照射手段が被写体にストロボ光を照射した際に、被写体からの反射光を測光する測測光手段と、前記照射手段のストロボ光の照射停止を判断するための調光値を設定する調光値設定手段と、前記測光手段で測光した測光値が、前記調光値に達した場合に前記照射手段のストロボ光の照射を停止させるストロボ光停止手段と、被写体との撮影距離を算出する撮影距離算出手段と、被写体からの反射光を受光して光電変換を行い、被写体に応じた電気信号を出力する撮像手段と、前記被写体に応じた電気信号の信号レベルを調整する利得調整手段と、を備え、ストロボ撮影時に、前記撮影距離算出手段で算出された撮影距離が、所定の距離よりも遠い場合に、前記利得調整手段は利得を上げるよう設定すると共に、前記調光値設定手段は、前記利得調整手段が設定した利得に対応する調光値を設定することを特徴とする。
【０００８】
上述した課題を解決し、目的を達成するために、本発明は、被写体にストロボ光を照射する照射手段と、前記照射手段が被写体にストロボ光を照射した際に、被写体からの反射光を測光する測測光手段と、前記照射手段のストロボ光の照射停止を判断するための調光値を設定する調光値設定手段と、前記測光手段で測光した測光値が、前記調光値に達した場合に前記照射手段のストロボ光の照射を停止させるストロボ光停止手段と、被写体との撮影距離を算出する撮影距離算出手段と、被写体からの反射光を受光して光電変換を行い、被写体に応じた電気信号を出力する撮像手段と、前記被写体に応じた電気信号の信号レベルを調整する利得調整手段と、を備え、ストロボ撮影時に、前記撮影距離算出手段で算出された撮影距離が、所定の距離よりも近い場合に、前記利得調整手段は利得を下げるよう設定すると共に、前記調光値設定手段は、前記利得調整手段が設定した利得に対応する調光値を設定することを特徴とする。
【０００９】
また、本発明の好ましい態様によれば、ストロボ光以外の外光による露光量を算出する外光露光量算出手段を備え、前記外光露光量算出手段で算出された露光量が適正露出に近い場合に、ストロボ光と外光とによる露光量とが適正露出となるように、前記調光値設定手段は調光値を設定すると共に、前記利得調整手段は利得を設定することが望ましい。
【００１０】
また、本発明の好ましい態様によれば、前記撮像手段が出力する被写体に応じた電気信号から、輝度データの高周波成分を積分して得られるＡＦ評価値を出力するＡＦ評価手段と、前記ＡＦ評価手段によるＡＦ評価値を、撮影レンズを移動しながらサンプリングすることで、合焦位置を判定する自動合焦手段と、を備え、前記撮影距離算出手段は、前記撮影レンズの合焦位置に基づき、被写体との撮影距離を算出することが望ましい。
【００１１】
また、本発明の好ましい態様によれば、前記自動合焦手段のＡＦ評価値を取得するサンプリング間隔は、ストロボ撮影を行う場合は、ストロボ撮影を行わない場合に比して小さくしたことが望ましい。
【００１２】
【発明の実施の形態】
以下に添付図面を参照して、この発明に係るカメラを適用したデジタルカメラの好適な実施の形態を詳細に説明する。
【００１３】
図１は、本実施の形態に係るデジタルカメラの構成図である。同図において、１００はデジタルカメラを示しており、デジタルカメラ１００は、レンズ系１０１、絞り・フィルター部等を含むメカ機構１０２、ＣＣＤ１０３、ＣＤＳ回路１０４、可変利得増幅器（ＡＧＣアンプ）１０５、Ａ／Ｄ変換器１０６、ＩＰＰ１０７、ＤＣＴ１０８、コーダー１０９、ＭＣＣ１１０、ＤＲＡＭ１１１、ＰＣカードインタフェース１１２、ＣＰＵ１２１、表示部１２２、操作部１２３、ＳＧ（制御信号生成）部１２６、ＣＰＵ１２１の制御により発光を行うオートストロボ装置１２７、バッテリ１２８、ＤＣ−ＤＣコンバータ１２９、ＥＥＰＲＯＭ１３０、フォーカスドライバ１３１、フォーカスパルスモータ１３２、ズームドライバ１３３、ズームパルスモータ１３４、モータドライバ１３５を具備して構成されている。また、ＰＣカードインタフェース１１２を介して着脱可能なＰＣカード１５０が接続されている。
【００１４】
レンズユニットは、レンズ１０１系、絞り・フィルター部等を含むメカ機構１０２からなり、メカ機構１０２のメカニカルシャッタは２つのフィールドの同時露光を行う。レンズ系１０１は、例えば、バリフォーカルレンズからなり、フォーカスレンズ系１０１ａとズームレンズ系１０１ｂとで構成されている。
【００１５】
フォーカスドライバ１３１は、ＣＰＵ１２１から供給される制御信号に従って、フォーカスパルスモータ１３２を駆動して、フォーカスレンズ系１０１ａを光軸方向に移動させる。ズームドライバ１３３は、ＣＰＵ１２１から供給される制御信号に従って、ズームパルスモータ１３４を駆動して、ズームレンズ系１０１ｂを光軸方向に移動させる。また、モータドライバ１３５は、ＣＰＵ１２１から供給される制御信号に従ってメカ機構１０２を駆動し、例えば、絞りの絞り値を設定する。
【００１６】
ＣＣＤ（電荷結合素子）１０３は、レンズユニットを介して入力した映像を電気信号（アナログ画像データ）に変換する。ＣＤＳ（相関２重サンプリング）回路１０４は、ＣＣＤ型撮像素子に対する低雑音化のための回路である。
【００１７】
また、ＡＧＣアンプ１０５は、ＣＤＳ回路１０４で相関２重サンプリングされた信号のレベルを補正する。なお、ＡＧＣアンプ１０５のゲインは、ＣＰＵ１２１により、ＣＰＵ１２１が内蔵するＤ／Ａ変換器を介して設定データ（コントロール電圧）がＡＧＣアンプ１０５に設定されることにより設定される。さらにＡ／Ｄ変換器１０６は、ＡＧＣアンプ１０５を介して入力したＣＣＤ１０３からのアナログ画像データをデジタル画像データに変換する。すなわち、ＣＣＤ１０３の出力信号は、ＣＤＳ回路１０４およびＡＧＣアンプ１０５を介し、またＡ／Ｄ変換器１０６により、最適なサンプリング周波数（例えば、ＮＴＳＣ信号のサブキャリア周波数の整数倍）にてデジタル信号に変換される。
【００１８】
また、デジタル信号処理部であるＩＰＰ（Image Pre-Processor ）１０７、ＤＣＴ（Discrete Cosine Transform ）１０８、およびコーダー（Huffman Encoder/Decoder ）１０９は、Ａ／Ｄ変換器１０６から入力したデジタル画像データについて、色差（Ｃｂ、Ｃｒ）と輝度（Ｙ）に分けて各種処理、補正および画像圧縮／伸長のためのデータ処理を施す。
【００１９】
さらに、ＭＣＣ（Memory Card Controller）１１０は、圧縮処理された画像を一旦蓄えてＰＣカードインタフェース１１２を介してＰＣカード１５０への記録、或いはＰＣカード１５０からの読み出しを行う。
【００２０】
ＣＰＵ１２１は、ＲＯＭに格納されたプログラムに従ってＲＡＭを作業領域として使用して、操作部１２３からの指示、或いは図示しないリモコン等の外部動作指示に従い、上記デジタルカメラ内部の全動作を制御する。具体的には、ＣＰＵ１２１は、撮像動作、自動露出（ＡＥ）動作、自動ホワイトバランス（ＡＷＢ）調整動作や、ＡＦ動作等の制御を行う。
【００２１】
また、カメラ電源はバッテリ１２８、例えば、ＮｉＣｄ、ニッケル水素、リチウム電池等から、ＤＣ−ＤＣコンバータ１２９に入力され、当該デジタルカメラ内部に供給される。
【００２２】
表示部１２２は、ＬＣＤ、ＬＥＤ、ＥＬ等で実現されており、撮影したデジタル画像データや、伸長処理された記録画像データ等の表示を行う。操作部１２３は、機能選択、撮影指示、およびその他の各種設定を外部から行うためのボタンを備えている。ＥＥＰＲＯＭ１３０には、ＣＰＵ１２１がデジタルカメラの動作を制御する際に使用する調整データ等が書き込まれている。
【００２３】
オートストロボ装置１２７は、ストロボ充電・発光部１２７ａ、ストロボ調光部１２７ｂを備え、ストロボ放電管を発光させた後、被写体からの反射光を測光し当該測光した測光量が所定レベルに達した場合に当該ストロボ放電管の発光を停止させるものである。
【００２４】
上記ストロボ充電・発光部１２７ａは、ＣＰＵ１２１の充電制御信号に基づき充電されるコンデンサや、該コンデンサの充電電圧に基づき、ＣＰＵ１２１からの発光制御信号に従ってストロボ光を発するストロボ発光管等を備える。また、ストロボ調光部１２７ｂは、被写体からのストロボ光の反射光を受光して電気信号に変換する受光部と、該電気信号とＣＰＵ１２１により設定される調光値（基準値）とを比較して該電気信号が調光値より大となった場合にストロボ発光管の発光を停止させる比較部等を備える。
【００２５】
上記オートストロボ装置１２７のオートストロボ動作について説明する。ＣＰＵ１２１は、ストロボ発光が必要な場合に、ストロボ充電・発光部１２７ａに充電制御信号を送出してコンデンサを充電させる。このコンデンサの充電電圧はＣＰＵ１２１で検出され、ＣＰＵ１２１は所定の電圧に達するとコンデンサの充電を終了させる。また、ＣＰＵ１２１はストロボ充電・発光部１２７ａに発光制御信号信号を送出しストロボ発光管を発光させる。これにより、被写体にはストロボ光が照射される。そして、ストロボ光が照射されている間、ストロボ調光部１２７ｂの受光部は、被写体からのストロボ光の反射光を受光して電気信号に変換して出力する。これに応じて、ストロボ調光部１２７ｂの比較部は、受光部から入力される電気信号とＣＰＵ１２１により設定される調光値（基準値）とを比較して該電気信号が調光値より大となった場合にストロボ発光管の発光を停止させる。
【００２６】
上記したデジタルカメラ１００（ＣＰＵ１２１）は、被写体を撮像して得られる画像データをＰＣカード１５０に記録する記録モードと、ＰＣカード１５０に記録された画像データを表示する表示モードと、撮像した画像データを表示部１２２に直接表示するモニタリングモード等を備えている。
【００２７】
図２は、上記ＩＰＰ１０７の具体的構成の一例を示す図である。ＩＰＰ１０７は、図３に示す如く、Ａ／Ｄ変換器１０６から入力したデジタル画像データをＲ・Ｇ・Ｂの各色成分に分離する色分離部１０７１と、分離されたＲ・Ｇ・Ｂの各画像データを補間する信号補間部１０７２と、Ｒ・Ｇ・Ｂの各画像データの黒レベルを調整するペデスタル調整部１０７３と、Ｒ、Ｂの各画像データの白レベルを調整するホワイトバランス調整部１０７４と、ＣＰＵ１２１により設定されたゲインでＲ・Ｇ・Ｂの各画像データを補正するデジタルゲイン調整部１０７５と、Ｒ・Ｇ・Ｂの各画像データのγ変換を行うガンマ変換部１０７６と、ＲＧＢの画像データを色差信号（Ｃｂ、Ｃｒ）と輝度信号（Ｙ）とに分離するマトリックス部１０７７と、色差信号（Ｃｂ、Ｃｒ）と輝度信号（Ｙ）とに基づいてビデオ信号を作成し表示部１２２に出力するビデオ信号処理部１０７８と、を備えている。
【００２８】
さらに、ＩＰＰ１０７は、ペデスタル調整部１０７３によるペデスタル調整後の画像データの輝度データ（Ｙ）を検出するＹ演算部１０７９と、Ｙ演算部１０７９で検出した輝度データ（Ｙ）の所定周波数成分のみを通過させるＢＰＦ１０８０と、ＢＰＦ１０８０を通過した輝度データ（Ｙ）の積分値をＡＦ評価値としてＣＰＵ１２１に出力するＡＦ評価値回路１０８１と、Ｙ演算部１０７９で検出した輝度データ（Ｙ）に応じたデジタルカウント値をＡＥ評価値としてＣＰＵ１２１に出力するＡＥ評価値回路１０８２と、デジタルゲイン調整部１０７５によるゲイン調整後のＲ・Ｇ・Ｂの各画像データの輝度データ（Ｙ）を検出するＹ演算部１０８３と、Ｙ演算部１０８３で検出した各色の輝度データ（Ｙ）をそれぞれカウントして各色のＡＷＢ評価値としてＣＰＵ１２１に出力するＡＷＢ評価値回路１０８４と、ＣＰＵ１２１とのインターフェースであるＣＰＵＩ／Ｆ１０８５と、およびＤＣＴ１０８とのインターフェースであるＤＣＴＩ／Ｆ１０８６等を備えている。
【００２９】
つぎに、ＡＦ制御について説明する。ＡＦ制御においては、シャッタ速度およびゲインが設定された後、フォーカスパルスモータ１３２が１ＶＤ期間に規定パルス駆動される。この規定パルス駆動の間に、ＩＰＰ１０７内で得られたデジタル映像信号が処理されて輝度信号が得られる。この輝度信号の高周波成分を積分してＡＦ評価値が求められ、このＡＦ評価値のピークが合焦位置となる。
【００３０】
ズーム制御においては、現在のフォーカス位置が後述する設定値「ｆｐ  ｆａｒ  ｃａｌｃ」（無限）から設定値「ｆｐ  ｎｅａｒ  ｃａｌｃ」（至近；約０．２ｍ）までのどの位置（距離）にあるかを比で求められる。フォーカス位置は、ズーム駆動に併せてそのズームポイントでの「ｆｐ  ｆａｒ  ｄｅｆ」と「ｆｐ  ｎｅａｒ  ｄｅｆ」から同じ比になるフォーカス位置に駆動され、バリフォーカルレンズのズームによるピントずれが補正される。
【００３１】
つぎに、ＡＦのための調整値である各設定値について説明する。図３は設定値を説明する図である。オートフォーカスでは、図４に示した如く、００〜０８までの９ズームステップ（ポジション）のバリフォーカルレンズを用いて行われるものとする。また、撮影距離範囲は、無限から約０．２ｍであるが、ワイドのみ約０．０１ｍとする。
【００３２】
図３に示したテーブルには、各ズームステップに対して６種類の設定値として「ｃｃｄａｆ  ｄｒｖ  ｄａｔａ」、「ｆｐ  ｆａｒ  ｄｅｆ」、「ｆｐ  ｎｅａｒ  ｄｅｆ」、「ｆｐ  ｆａｒ  ｃａｌｃ」、「ｆｐ  ｎｅａｒ  ｃａｌｃ」、「ｎｍｌ  ｓｍｐ」が対応付けられている。なお、図３中の各設定値は１６進表示とする。
【００３３】
ここで、「ｃｃｄａｆ  ｄｒｖ  ｄａｔａ」は、ＡＦ評価値をサンプリングするときの各サンプリングのフォーカスレンズ系の移動量（パルス数）を示す。「ｆｐ  ｆａｒ  ｄｅｆ」は、各ズームステップでのＡＦ評価値サンプリングスタート位置を示し、フォーカス繰り出しパルス数「ｆｐ  ｉｎｆ  ｄｅｆ」の位置を基準とした差分がデータとして入力されている。
【００３４】
「ｆｐ  ｎｅａｒ  ｄｅｆ」は、各ズームステップでのＡＦ評価値サンプリングエンド位置を示し、フォーカス繰り出しパルス数「ｆｐ  ｉｎｆ  ｄｅｆ」の位置を基準とした差分がデータとして入力されている。「ｆｐ  ｆａｒ  ｃａｌｃ」は、各ズームステップでの無限位置を示し、フォーカス繰り出しパルス数「ｆｐ  ｉｎｆ  ｄｅｆ」の位置を基準とした差分がデータとして入力されている。
【００３５】
「ｆｐ  ｎｅａｒ  ｃａｌｃ」は、各ズームステップでの０．２ｍ位置を示し、フォーカス繰り出しパルス数「ｆｐ  ｉｎｆ  ｄｅｆ」の位置を基準とした差分がデータとして入力されている。「ｎｍｌ  ｓｍｐ」は、ＡＦ評価値のサンプリング結果によらずに必ずＡＦ評価値のサンプリングを実行する全域サンプリングフォーカスレンズ系移動を行うサンプリング数を示している。
【００３６】
なお、「ｆｐ  ｉｎｆ  ｄｅｆ」とは、フォーカスの無限側目メカ端からワイドのＡＦ評価値サンプリングスタートまでのフォーカス繰り出しパルス数を示している。
【００３７】
続いて、動作について説明する。図４はオートフォーカス動作を行うための設定動作を説明するフローチャートであり、図５はオートフォーカス動作を説明するフローチャートである。
【００３８】
図５において、ｆｐ  ｆａｒ  ｉｎｉｔ＝フォーカス繰り出しパルス数（ｆｐ  ｉｎｆ  ｄｅｆ）−ＡＦ評価値サンプリングスタート位置（ｆｐ  ｆａｒ  ｄｅｆ［ｚｏｏｍ］）、ｆｐ  ｎｅａｒ  ｉｎｉｔ＝フォーカス繰り出しパルス数（ｆｐ  ｉｎｆ  ｄｅｆ）＋ＡＦ評価値サンプリングエンド位置（ｆｐ  ｎｅａｒ  ｄｅｆ［ｚｏｏｍ］）、ｆｐ  ｈｏｍｅ＝（ｆｐ  ｆａｒ  ｉｎｉｔ）−（ｆｐ  ｈｏｍｅ  ｄｅｆ）、そして、ｎｍｌ  ｓｍｐ  ｄｅｆ＝ｎｍｌ  ｓｍｐ［ｚｏｏｍ］である。ここで、ｚｏｏｍは９ズームステップのポジションで、ｚｏｏｍ＝０のときに、「ワイド」となり、ｚｏｏｍ＝４のときに、「ミーン」となり、ｚｏｏｍ＝８のときに、「テレ」となる。
【００３９】
図５に示した動作では、まず、ズーム位置とズーム駆動パルス数とを合わせてズームリセットが行われた後、フォーカス位置とフォーカス駆動パルス数とを合わせてフォーカスリセットが行われる。ズームリセット、フォーカスリセットはそれぞれメカ端にまで駆動することで実施される。
【００４０】
メカ端に駆動する以上のパルス数で駆動した後の位置は規定のパルス数位置として決定される。ここで、フォーカスの場合には、ｎｅａｒ側のメカ端でｆｐ  ｍａｘ＝２０５パルスとなる。また、メカ端に駆動するときの最後のパルス出力のデータは、ｆｐ  ｈｏｍｅ  ｓｔａｔｅとして調整時に設定される。続いて、フォーカスが常焦点位置（約２．５ｍ）に設定され、さらにズームが実施される。
【００４１】
続いて図４に示した動作が開始される。図４に示した動作モードは、オートフォーカスモードである。オートフォーカスの場合には、まずＡＦ初期設定（ｃｃｄａｆ  ｉｎｉｔ  ｓｅｔ）が実行され（ステップＳ１０１）、第１レリーズが操作される。このとき、設定されているズームポイントでの常焦点位置（約２．５ｍ）を調整値から計算し、ＡＦ作動する。続いて、ＡＦ用ＡＥの設定（ｃｃｄａｆ  ａｅ  ｓｅｔ）が行われる（ステップＳ１０２）。
【００４２】
そして、処理がステップＳ１０３へ移行すると、フォーカスをホームポジションＨＰ（ｆｐ  ｈｏｍｅ）に駆動する。続くステップＳ１０４では、フォーカスが初期位置ＩＮＩＴ（ｆｐ  ｆａｒ  ｉｎｉｔ）へ駆動される。このように、フォーカスがホームポジションＨＰから初期位置ＩＮＩＴへ駆動されることで、バックラッシュ（ｆｐ  ｂ  ｒａｓｈ＝８（パルス））を取り除くことができる。
【００４３】
そして、処理はステップＳ１０５へ移行する。ＡＦ評価値サンプリング時のフォーカス駆動が垂直同期信号ＶＤに同期して行われる。その際、フォーカスは各サンプリングのフォーカスレンズ系の移動量（ｃｃｄａｆ  ｄｒｖ  ｄａｔａ）分ずつ駆動する。このとき、フォーカスの駆動は、ＡＦ評価値の値（ピークなどの情報）に関係なく、ｎｅａｒ位置（ｎｍｌ  ｓｍｐ分のＡＦ評価値をサンプリングするまでで、フォーカスの駆動量としては、（ｃｃｄａｆ  ｄｒｖ  ｄａｔａ）＊（ｎｍｌ  ｓｍｐ）となる）まで行われる。これは通常の撮影距離範囲内（無限から約０．５ｍ）である。
【００４４】
ここでは、通常の撮影距離範囲内でサンプリングしたＡＦ評価値からピーク位置やＡＦ評価値の増減データなどが計算され、通常の撮影距離範囲内に合焦位置があるかの判定が下される。マクロの撮影距離範囲内で合焦を行う場合にも、フォーカスレンズは合焦位置からバックラッシュを取り除く位置までフォーカスを駆動後に合焦位置に駆動される。
【００４５】
この後、処理はステップＳ１０６へ移行する。ステップＳ１０６において、通常の撮影距離範囲内に合焦位置がある場合、ＡＦ評価値のサンプリングが中止され、合焦位置からバックラッシュを取り除く位置までフォーカスが駆動された後に、フォーカスが合焦位置に駆動される。
【００４６】
また、通常の撮影距離範囲内に合焦位置がない場合、マクロの撮影距離範囲内（約０．５ｍから約０．２ｍ）のＡＦ評価値のサンプリングが実施される（マクロ；ｆｐ  ｎｅａｒ  ｉｎｉｔまで）。ただし、マクロの撮影距離範囲内では、ピークを検出した時点でＡＦ評価値のサンプリングが中止される。
【００４７】
この後、処理はステップＳ１０７へ移行する。ステップＳ７においてフォーカスの駆動がオフ（ｆｃｓｍ  ｏｆｆ）されることで、本処理が終了する。
【００４８】
つぎに、ズーム位置とフォーカス位置との関係について説明する。図６はフォーカス位置調整用のテーブルを示す図である。
【００４９】
図６に示すテーブルは、ズーム位置に対するフォーカス位置を調整するときに使用されるものである。このテーブルでは、ＷＩＤＥ（ワイド）端…ＭＥＡＮ（ミーン）…ＴＥＬＥ（テレ）端までの間で９つのポジション（０〜８）が割り当てられており、各ポジション（ズームステップ）には、ズームパルスモータ１３４のパルス数、ズーム位置（ｍ）、フォーカスパルスモータ１３２のパルス数、無限位置（ｍ）とが対応付けられる。このテーブルのデータは、ＣＰＵ１２１のＲＯＭ（付図示）などに記憶保持される。
【００５０】
つぎに、ドライバについて詳述する。図７はズームパルスモータ１３４およびフォーカスパルスモータ１３２のドライバ（フォーカスドライバ１３１とズームドライバ１３３）を示す回路図、図８はパルスモータ駆動ＩＣの真理値表を示す図である。図７において、フォーカスドライバ１３１とズームドライバ１３３とは、図８に示した真理値表に従って入出力の関係を規定する。
【００５１】
図８に示した真理値表に従えば、図７に示すフォーカスドライバ１３１およびズームドライバ１３３は、自回路のイネーブル信号を“Ｌ”（ロー）としている場合には、入力（ＩＮ１、２）はなく、待機状態となることから、出力（ＯＵＴ１、２、３、４）はオフとなる。一方、イネーブル信号を“Ｈ”（ハイ）としている場合には、入力のＩＮ１とＩＮ２との論理関係から、駆動して出力のＯＵＴ１〜４が２相励磁の変化を生じる出力となる。
【００５２】
つぎに、図９を参照してストロボ撮影処理の概略を説明する。図９はストロボ撮影処理の概略を説明するためのフローチャートである。まず、レリーズキーが半押しにされると（ステップＳ２０１）、ＣＰＵ１２１はＡＦ処理を行う（Ｓ２０２）。具体的には、ＣＰＵ１２１は、ＣＣＤ１０３のシャッタ速度およびＡＧＣアンプ１０５のゲインを設定した後、フォーカスパルスモータ１３２を駆動し、フォーカスレンズ系１０１ａを所定ステップ間隔で駆動する。ＣＰＵ１２１は、フォーカスレンズ系１０１ａの駆動の間にＡＦ評価値を複数サンプリングする。そして、ＣＰＵ１２１は、このサンプリングされたＡＦ評価値のピークとなる位置を合焦位置として、この合焦位置にフォーカスレンズ系１０１ａを移動させる。
【００５３】
続いて、ＣＰＵ１２１は、フォーカスレンズ系１０１ａを合焦位置に移動する際にフォーカスパルスモータ１３２へ送出されるパルス数をカウントして被写体までの撮影距離を算出する（ステップＳ２０３）。
【００５４】
この後、ＣＰＵ１２１は、この算出された撮影距離に基づき、ＡＧＣアンプ１０５のゲイン値およびオートストロボ装置１２７のストロボ調光部１２７ｂの調光値を算出して設定する（ステップＳ２０４）。そして、ＣＰＵ１２１は、レリーズキーが全押しされると（ステップＳ２０５）、ストロボ撮影を行う（ステップＳ２０６）。具体的には、ＣＰＵ１２１は、オートストロボ装置１２７にストロボ発光させると共に、被写体に応じた画像データをＣＣＤ１０３で取込み、ＣＤＳ回路１０４、ＡＧＣアンプ１０５、Ａ／Ｄ変換器、ＩＰＰ１０７、ＤＣＴ１０８、コーダー１０９、およびＭＣＣ等を介して、画像データをＰＣカード１５０に記録する。この場合のストロボ発光の停止は、上記した如く、オートストロボ装置１２７のストロボ調光部１２７ｂに設定される調光値に従って停止されることになる。すなわち、かかる調光値に対応した時間だけストロボ発光が為されることになる。また、ＡＧＣアンプ１０５に設定されたゲイン値に応じて画像データのレベルが調整されることになる。
【００５５】
つぎに、ストロボ撮影処理の具体的な動作例について、動作例１〜動作例３を説明する。
【００５６】
（動作例１）
動作例１を図１０および図１１を参照して説明する。図１０は、撮影距離とＡＧＣアンプ１０５のゲイン設定範囲およびオートストロボ装置１２７のストロボ調光部１２７ｂに設定される調光値の調光範囲との関係を説明するための説明図、図１１は、撮影距離に基づき、ＡＧＣアンプ１０５のゲイン値およびオートストロボ装置１２７のストロボ調光部１２７ｂの調光値を算出して設定する処理を説明するためのフローチャートを示す。
【００５７】
動作例１では、被写体距離に基づき、ＡＧＣアンプ１０５のゲイン値およびオートストロボ装置１２７のストロボ調光部１２７ｂの調光値を算出して設定しストロボ撮影を行い、これにより、擬似的にオートストロボで調光可能な撮影距離範囲を広げる場合を示す。
【００５８】
動作例１におけるストロボ撮影処理を説明する。ＡＦ動作および撮影距離の算出に関しては前述した上記図９のステップＳ２０２、Ｓ２０３と同じ処理を行う。そして以下に示すようにして（図１０および図１１参照）、撮影距離に基づき、ＡＧＣアンプ１０５のゲイン値およびオートストロボ装置１２７のストロボ調光部１２７ｂの調光値を算出して設定する。そして、この設定された条件で上記図１０のステップＳ２０６と同様にストロボ撮影を行う。
【００５９】
図１０において、Ａ（近距離）〜Ｂ（遠距離）の間が、オートストロボ機能で調光可能な撮影距離範囲である。撮影距離がＡ（近距離）以下の場合はＡＧＣアンプ１０５のゲイン値をダウンに設定し、撮影距離がＡ（近距離）とＢ（遠距離）の間の場合には、ＡＧＣアンプ１０５のゲイン値をノーマルに設定し、撮影距離がＢ（遠距離）以上の場合はＡＧＣアンプ１０５のゲイン値をアップに設定する。また、ＡＧＣアンプ１０５に設定されるゲイン値に対応させてストロボ調光部１２７ｂの調光値が設定される。ゲイン値をダウン設定する場合には調光値を小に、ゲイン値をノーマルに設定する場合には調光値を中に、、ゲイン値をアップ設定する場合には調光値を大に設定する。なお、同図に示すように、撮影距離が正確に求められなくても、ストロボ調光範囲がオーバーラップしているので露出精度上は問題とならない。
【００６０】
つぎに、図１１のフローチャートを参照して、撮影距離に基づき、ＡＧＣアンプ１０５のゲイン値およびオートストロボ装置１２７のストロボ調光部１２７ｂの調光値を算出して設定する処理の具体的処理内容を説明する。同図において、まず、ＣＰＵ１２１は算出した撮影距離がＡ（近距離）以下であるか否かを判断し（ステップＳ３０１）、撮影距離がＡ（近距離）以下である場合には、ＡＧＣアンプ１０５のゲイン値を通常よりも低い値に設定し、調光値として当該低いゲイン値に対応した値（調光値小）をストロボ調光部１２７ｂ設定する（ステップＳ３０４）。他方、ステップＳ３０１で、ＣＰＵ１２１は撮影距離がＡ（近距離）より大であると判断した場合には、ステップＳ３０２に移行し、撮影距離がＢ（遠距離）以上であるか否かを判断する。
【００６１】
この判断の結果、撮影距離がＢ（遠距離）より小である場合、すなわち、撮影距離がＡ（近距離）とＢ（遠距離）の間となる場合には、ステップＳ３０５に移行し、ＡＧＣアンプ１０５のゲイン値をノーマルに設定し、調光値として当該ノーマルのゲイン値に対応した値（調光値中）をストロボ調光部１２７ｂ設定する。他方、ステップＳ３０２で、ＣＰＵ１２１は撮影距離がＢ（遠距離）以上であると判断した場合には、ステップＳ３０３に移行し、ＡＧＣアンプ１０５のゲイン値を通常よりも高い値に設定し、調光値として当該高いゲイン値に対応した値（調光値大）をストロボ調光部１２７ｂ設定する。
【００６２】
以上説明したように、動作例１によれば、被写体距離に基づきＡＧＣアンプ１０５のゲイン値およびオートストロボ装置１２７の調光部１２７ｂの調光値を算出することとしたので、擬似的にオートストロボで調光可能な撮影距離範囲を広げることが可能となる。
【００６３】
より具体的には、遠距離時にはＡＧＣアンプ１０５のゲイン値を高めに設定するとと共に、調光値として当該高いゲイン値に対応した値をストロボ調光部１２７ｂ設定することとしたので、遠距離時のストロボ発光量不足を防止できる。また、近距離時にはＡＧＣアンプ１０５のゲイン値を低めに設定するとと共に、調光値として当該低いゲイン値に対応した値をストロボ調光部１２７ｂ設定することとしたので、近距離時に発生しやすい照射光量の誤差を吸収することが可能となる。
【００６４】
（動作例２）
動作例２を図１２〜図１４を参照して説明する。図１２は、動作例２で使用されるＥｖ線図、図１３は、撮影距離とオートストロボ装置１２７のストロボ調光部１２７ｂに設定される調光値の調光範囲の関係を示す図、図１４は、撮影距離および外光輝度に基づき、ＡＧＣアンプ１０５のゲイン値およびオートストロボ装置１２７のストロボ調光部１２７ｂの調光値を算出して設定する処理を説明するためのフローチャートを示す。
【００６５】
動作例２では、撮影距離および外光輝度に基づき、ＡＧＣアンプ１０５のゲイン値およびオートストロボ装置１２７のストロボ調光部１２７ｂの調光値を算出して設定する場合を示す。
【００６６】
ＡＦ動作および撮影距離の算出に関しては上記図９のステップＳ２０２、Ｓ２０３と同じ処理を行う。そして以下に示す如く（図１２〜図１４参照）、ストロボ光以外での外光による被写体の外光輝度（ＡＥ評価値＝露出量）を算出し、算出した外光輝度および撮影距離に基づきＡＧＣアンプ１０５のゲイン値およびオートストロボ装置１２７のストロボ調光部１２７ｂの調光値を算出して設定する。そして、この設定された条件で上記図９のステップＳ２０６と同様にストロボ撮影を行う。
【００６７】
動作例２で使用されるＥｖ線図を図１２を参照して説明する。ＥＶ線図は、一般に、目的の露出値Ｅｖ（Exposure Value）にするための開口値Ａｖ（Aperture Value）と時間値Ｔｖ（Time Value）の組み合わせを表す図であり、これら露出調整における露出値Ｅｖ、開口値Ａｖおよび時間値Ｔｖの間には、Ｅｖ＝Ａｖ＋Ｔｖの関係がある。また、輝度値Ｌｖ（Light Value ）は測光値であり、適正露出ではＥｖ＝Ｌｖである。なお、１／Ｔは２のＴｖ乗に等しく、また、ＦＮｏ．の２乗は２のＡｖ乗に等しいという関係がある。この図  に示すＥｖ線図の特性データは、データ化されてＣＰＵ１２１のＲＯＭ（図示せず）に格納されている。
【００６８】
ここでは、Ｅｖ線図としているが、Ｂｖ線図の方が正しいかもしれないが一般的ではないので、ここでは、Ｅｖ線図とする。Ｂｖ線図は、Ｂｖ＝Ｅｖ−Ｓｖ（ＩＳＯ感度）＝Ａｖ＋Ｔｖ−ＳｖからＡｖが一定であれば、ＢｖはＴｖとＳｖの組み合わせで対応できる。輝度（明るさ）により、シャッタ秒時（Ｔｖ）とＩＳＯ感度（Ｓｖ）を組み合わせて設定すれば適正露出にできる。
【００６９】
本動作例３では、低輝度ストロボ発光モードとストロボ強制発光モードとを有している。低輝度ストロボ発光モードは、外光輝度で撮影露光時に使用されるシャッタ速度が手ぶれがおきやすくなるシャッタ速度以下になる場合に、手ぶれがおきにくいシャッタ速度で撮影をして、露出アンダーとなるのをストロボ発光することにより適正露出とするモードである。ストロボ強制発光モードは強制的にストロボを発光させて撮影するモードである。
【００７０】
図１２において、低輝度ストロボ発光モードでは、ワイド時には、１／４５秒〜１／８０００秒のシャッタ秒時（Ｔｖ）でストロボ撮影が行われ、テレ時には、１／１３５秒〜１／８０００秒のシャッタ秒時（Ｔｖ）でストロボ撮影が行われる。外光輝度による露光がワイド時、１／４５秒、テレ時、１／１３５秒以下になるときにシャッタ秒時でリミットしてストロボ発光で撮影する一方、当該シャッタ秒時以上の時はストロボ発光なしで撮影する。
【００７１】
ストロボ強制発光モードでは、ワイド時およびテレ時共に、１／５秒〜１／８０００秒のシャッタ秒時（Ｔｖ）でストロボ撮影が行われる。すなわち、外光輝度に関係なくストロボ発光で撮影される。
【００７２】
なお、ストロボ調光は、ストロボＧＮｏ．８（ＩＳＯ１００）で、レンズのＦ値４で撮影距離２ｍまで適正露出に調光可能となっている。
【００７３】
図１３は、被写体撮影距離とストロボ調光範囲の関係を示す図である。すなわち、撮影距離がＡ（近距離）とＢ（遠距離）の間の場合には、ストロボ調光範囲となる。
【００７４】
例えば、外光輝度に対して適正露出となり、ストロボ光に対して適正露出となる場合には、撮影全体の露光値に対して２倍の露光量（＋１Ｅｖの露光オーバー）となる。そこで、撮影全体の露光値に対して適正露出とするためにＡＧＣアンプ１０５のゲイン値を−０．５Ｅｖ分（３ｄｂ）下げれば適正露出とすることができる（ＡＧＣアンプ１０５のゲイン値はストロボ光と外光の両方の露光に同じ程度影響を与えるため）。上記方式を用いて測光値から撮影時の外光での露出誤差と撮影距離からストロボ光での露出誤差を求めて、撮影全体の露光値を適正露出にするためのＡＧＣアンプ１０５のゲインの補正量を求める。
【００７５】
つぎに、図１４のフローチャートを参照して、撮影距離および外光輝度（ＡＥ評価値＝露出量）に基づき、ＡＧＣアンプ１０５のゲイン値およびオートストロボ装置１２７のストロボ調光部１２７ｂの調光値を算出して設定する処理を説明する。
【００７６】
図において、ＣＰＵ１２１は、外光による被写体からの外光輝度（ＡＥ評価値＝露出量）を取得する（ステップＳ４０１）。そして、ＣＰＵ１２１は、取得した外光輝度が、外光でもほぼ適正露出となっているか否かを判断し（ステップＳ４０２）、外光でほぼ適正露出になる外光輝度でない場合には、ＡＧＣアンプ１０５のゲイン値をそのままとし、調光値として当該ゲイン値に対応した値をストロボ調光部１２７ｂ設定する（ステップＳ４０５）。他方、ＣＰＵ１２１は、外光でほぼ適正露出になる外光輝度である場合には、ステップＳ４０３に移行し、ストロボ発光でほぼ調光可能な撮影距離であるか否かを判断する。この判断の結果、ストロボ発光でほぼ調光可能な撮影距離でない場合はステップＳ４０５に移行して、ＡＧＣアンプ１０５のゲイン値をそのままとし、調光値として当該ゲイン値に対応した値をストロボ調光部１２７ｂ設定する。他方、ストロボ発光でほぼ調光可能な距離である場合は、ステップＳ４０４に移行してＡＧＣアンプ１０５のゲイン値を下げ、調光値として当該ゲイン値に対応した値をストロボ調光部１２７ｂ設定する。
【００７７】
以上説明したように、動作例２によれば、撮影距離および外光輝度（露出アンダーの度合い）に基づき、ＡＧＣアンプ１０５のゲイン値およびオートストロボ装置１２７のストロボ調光部１２７ｂの調光値を算出・設定してストロボ撮影することとしたので、ストロボ光および外光による撮影全体の露光量を適正露出にすることができる。
【００７８】
（動作例３）
動作例３を図１５を参照して説明する。図１５は、動作例３におけるＡＦ動作を説明するためのタイミングチャートを示す。
【００７９】
一般に撮影距離は、カメラに内蔵されたＡＦ機能を用いて検出が行われる。例えば、撮影距離を求める方法として、[１]ＡＦのみで実際の撮影距離を直接的に求める方法、[２]本実施の形態で採用しているような、ＡＦでのフォーカスレンズを合焦させて、合焦時のフォーカスレンズ位置により間接的に求める方法等がある。
【００８０】
[２]の方法は、撮影距離とレンズ繰り出し量の関係が正確でないと誤差が大きくなり（誤差が大きくても、ＴＴＬでＡＦが行われるのでＡＦ精度としては問題がない）、特に遠距離においては誤差が大きくなる。また、[２]の方法を使用した場合には、ズームレンズでは被写界深度によりテレ時よりもワイド時の方が同じ撮影距離での合焦範囲が広くとれるのでＡＦ評価値をサンプリングする時の各サンプリングのフォーカスレンズ系１０１ａの移動量をテレ時よりもワイド時の方が大きくできる（同じにしても良いが、合焦時間がながくなるので各ズーム位置で必要合焦精度上の値とする。）。よって、フォーカスレンズ位置により求める撮影距離はテレよりもワイドの方が粗くなることになる。
【００８１】
そこで、動作例３では、テレ時には、ＡＦ評価値のサンプリングの際のフォーカスレンズ系１０１ａの移動量をワイド時に比して小さくすると共に、撮影距離の検出が必要なストロボ撮影の場合には、撮影距離の検出が不要な撮影の場合に比して、先行して行われるＡＦ動作のＡＦ評価値のサンプリング時のフォーカスレンズ系１０１ａの移動量を小さくする。
【００８２】
撮影距離検出が必要なストロボ撮影の際に行われるＡＦ動作を図１５を参照して説明する。同図において、（ａ）は垂直同期信号（ＶＤ）、（ｂ）はＡＦ評価値のサンプリングタイミング（画像取込タイミング）、（ｃ）は撮影距離検出が必要なストロボ撮影の際のＡＦ動作において、ＡＦ評価値をサンプリングする場合のフォーカスパルスモータ駆動タイミング（ワイド）、同図（ｄ）は撮影距離検出が必要なストロボ撮影の際のＡＦ動作において、ＡＦ評価値をサンプリングする場合のフォーカスパルスモータ駆動タイミング（テレ）、同図（ｅ）は撮影距離検出が不要な撮影の際のＡＦ動作において、ＡＦ評価値をサンプリングする場合のフォーカスパルスモータ駆動タイミング（ワイド）、同図（ｆ）は撮影距離検出が不要な撮影の際のＡＦ動作において、ＡＦ評価値をサンプリングする場合のフォーカスパルスモータ駆動タイミング（テレ）を示す。
【００８３】
まず、ＣＰＵ１２１は、ワイドの場合およびテレの場合に、それぞれ同図（ｃ）および同図（ｄ）に示すタイミングでフォーカスレンズ系１０１ａを駆動する。なお、撮影距離検出が必要なストロボ撮影時のＡＦ評価値のサンプリングの際のフォーカスレンズ系１０１ａの駆動量（同図（ｃ）および同図（ｄ）参照）は、距離検出が必要でない撮影時のＡＦ評価値のサンプリングの際のフォーカスレンズ系１０１ａの駆動の場合（同図（ｅ）および同図（ｆ）参照）に比して小さくしている。また、ＣＰＵ１２１は、フォーカスレンズ系１０１ａを駆動しながら、同図（ａ）に示す垂直同期信号（ＶＤ）のタイミングに同期した、同図（ｂ）に示すタイミングでＡＥ評価値をサンプリングする。
【００８４】
この動作に続く、合焦位置の特定、撮影距離の算出、撮影距離もしくは撮影距離および外光輝度に基づくＡＧＣアンプ１０５のゲイン値およびストロボ装置の調光部の調光値の算出・設定、この設定された条件でのストロボ撮影の各動作は、上記動作例１または動作例２と同様である。
【００８５】
以上説明したように、動作例３によれば、撮影距離の検出が必要なストロボ撮影の場合には、撮影距離の検出が不要な撮影の場合に比して、先行して行われるＡＦ動作のＡＦ評価値のサンプリング時のフォーカスレンズ系１０１ａの移動量を小さくすることとしたので、高精度な撮影距離の検出が可能となる。
【００８６】
なお、本発明は、上記した実施の形態に限定されるものではなく、発明の要旨を変更しない範囲で適宜変形して実行可能である。
【００８７】
【発明の効果】
本発明によれば、オートストロボ機能を備えたカメラにおいて、撮影距離算出手段で算出された撮影距離に基づき、利得調整手段のゲイン値およびストロボの発光を停止するための基準値となる調光値の値を算出して設定しストロボ撮影を行うこととしたので、オートストロボ機能で調光可能な撮影距離範囲を広げることが可能となる。
【００８８】
また、本発明によれば、オートストロボ機能を備えたカメラにおいて、撮影距離算出手段で算出された撮影距離が、オートストロボ機能で調光できる撮影距離よりも遠い場合に、利得調整手段のゲイン値を上げると共に、利得調整手段に設定したゲイン値に対応する調光値を調光値変更・設定手段に設定してストロボ撮影を行うこととしたので、オートストロボ機能で調光可能な撮影距離範囲を広げることができ、また遠距離時のストロボ発光量不足を防止可能となる。
【００８９】
また、本発明によれば、オートストロボ機能を備えたカメラにおいて、撮影距離算出手段で算出された撮影距離がオートストロボ機能で調光できる撮影距離よりも近い場合に、利得調整手段のゲイン値を下げると共に、利得調整手段に設定したゲイン値に対応する調光値を調光値変更・設定手段に設定することとしたので、オートストロボ機能で調光可能な撮影距離範囲を広げることができ、また近距離時に発生しやすい照射光量の誤差を吸収することが可能となる。
【００９０】
また、本発明によれば、オートストロボ機能を備えたカメラにおいて、露光量算出手段で算出された露光量が適正露出に近い場合に、ストロボ光と外光とによる露光量とが適正露出となるように、利得調整手段のゲイン値およびストロボの発光を停止するための基準値となる調光値の値を設定して、ストロボ撮影を行うこととしたので、ストロボ光および外光による撮影全体の露光量を適正露出にすることが可能となる。
【００９１】
また、本発明によれば、被写体に応じた電気信号の輝度データの高周波成分を積分して得られるＡＦ評価値を出力するＡＦ評価手段と、フォーカスレンズ系の位置を移動させながら前記ＡＦ評価手段により得られたＡＦ評価値をサンプリングするサンプリング手段と、サンプリング手段のＡＦ評価値のサンプリング結果により合焦を判定し、フォーカスレンズ系を合焦位置に駆動するフォーカス駆動手段と、フォーカスレンズ系の合焦位置に基づき被写体との撮影距離を算出する撮影距離算出手段とを有し、撮影距離算出手段により撮影距離を算出する場合には、ＡＦ評価値をサンプリングする際の各サンプリングの際のフォーカスレンズ系の移動量を、当該撮影距離算出手段により撮影距離を算出しない場合に比して小さくすることとしたので、高精度な撮影距離の検出が可能となる。
【図面の簡単な説明】
【図１】  本実施の形態に係るデジタルカメラの構成図である。
【図２】  図１のＩＰＰの具体的構成の一例を示す図である。
【図３】  実施の形態によるオートフォーカス動作を説明するフローチャートである。
【図４】  実施の形態によるオートフォーカス動作を行うための設定動作を説明するフローチャートである。
【図５】  実施の形態による設定値を説明する図である。
【図６】  実施の形態においてズーム位置に対するフォーカス位置を調整するときに使用するテーブルを示す図である。
【図７】  実施の形態によるズームパルスモータおよびフォーカスパルスモータのドライバを示す回路図である。
【図８】  図７に示したドライバにおいてパルスモータ駆動ＩＣの真理値表を示す図である。
【図９】  ストロボ撮影処理を説明するためのフローチャートである。
【図１０】  撮影距離とＡＧＣアンプのゲイン設定範囲およびオートストロボ装置のストロボ調光部に設定される調光値の調光範囲との関係を説明するための説明図である。
【図１１】  動作例１を説明するためのフローチャートである。
【図１２】  動作例２で使用されるＥｖ線図を示す図である。
【図１３】  撮影距離とオートストロボ装置のストロボ調光部に設定される調光値の調光範囲の関係を示す図である。
【図１４】  動作例２を説明するためのフローチャートである。
【図１５】  動作例３を説明するためのタイミングチャートである。
【符号の説明】
１００    デジタルカメラ
１０１    レンズ系
１０１ａ  フォーカスレンズ系
１０１ｂ  ズームレンズ系
１０２    オートフォーカス等を含むメカ機構
１０３    ＣＣＤ（電荷結合素子）
１０４    ＣＤＳ（相関２重サンプリング）回路
１０５    可変利得増幅器（ＡＧＣアンプ）
１０６    Ａ／Ｄ変換器
１０７    ＩＰＰ（Image Pre-Processor)
１０８    ＤＣＴ（Discrete Cosine Transform)
１０９    コーダー（Huffman Encoder/Decoder)
１１０    ＭＣＣ（Memory Card Controller）
１１１    ＲＡＭ（内部メモリ）
１１２    ＰＣカードインタフェース
１２１    ＣＰＵ
１２２    表示部
１２３    操作部
１２６    ＳＧ部
１２７    オートストロボ装置
１２７ａ  ストロボ充電・発光部
１２７ｂ  ストロボ調光部
１２８    バッテリ
１２９    ＤＣ−ＤＣコンバータ
１３０    ＥＥＰＲＯＭ
１３１    フォーカスドライバ
１３２    フォーカスパルスモータ
１３３    ズームドライバ
１３４    ズームパルスモータ
１３５    モータドライバ
１５０    ＰＣカード
１０７１  色分離部
１０７２  信号補間部
１０７３  ペデスタル調整部
１０７４  ホワイトバランス調整部
１０７５  デジタルゲイン調整部
１０７６  γ変換部
１０７７  マトリクス部
１０７８  ビデオ信号処理部
１０７９  Ｙ演算部
１０８０  ＢＰＦ
１０８１  ＡＦ評価値回路
１０８２  ＡＥ評価値回路
１０８３  Ｙ演算部
１０８４  ＡＷＢ評価値回路
１０８５  ＣＰＵＩ／Ｆ
１０８６  ＤＣＴＩ／Ｆ
１０７５ｒ、１０７５ｇ、１０７５ｂ  乗算器
【図１】
0004024402.tif 000002
【図２】
0004024402.tif 000003
【図３】
0004024402.tif 000004
【図４】
0004024402.tif 000005
【図５】
0004024402.tif 000006
【図６】
0004024402.tif 000007
【図７】
0004024402.tif 000008
【図８】
0004024402.tif 000009
【図９】
0004024402.tif 000010
【図１０】
0004024402.tif 000011
【図１１】
0004024402.tif 000012
【図１２】
0004024402.tif 000013
【図１３】
0004024402.tif 000014
【図１４】
0004024402.tif 000015
【図１５】
0004024402.tif 000016